(57)【要約】      （修正有）【課題】遷移先画面の表示倍率を指定するユーザ操作を簡単にする。【解決手段】電子機器は、表示中の遷移元画面に含まれるオブジェクトを指示する第１操作を受け付ける受付部６１９と、指示されたオブジェクト内の位置に基づいて特定される表示倍率に従って、オブジェクトに応じた遷移先画面を表示する表示部６１７とを有する。このようにすれば、例えばユーザの観点や使用環境に応じて表示倍率を決めようとする場合に、便利である。【選択図】図６
2014211700.tif 000002
【特許請求の範囲】
【請求項１】
表示中の遷移元画面に含まれるオブジェクトを指示する第１操作を受け付ける受付部と、
指示されたオブジェクト内の位置に基づいて特定される表示倍率に従って、前記オブジェクトに応じた遷移先画面を表示する表示部と
を有する電子機器。
【請求項２】
前記表示部は、前記オブジェクト内を分割する複数の領域のうち、前記位置が含まれる領域に対応付けられている表示倍率を特定する
を有する請求項１記載の電子機器。
【請求項３】
前記受付部は、表示中の前記遷移先画面を変倍させる第２操作を受け付け、
更に、
前記表示倍率を、前記第２操作に従って変更された表示倍率に改める更新部
を有する請求項１又は２記載の電子機器。
【請求項４】
表示中の遷移元画面に含まれるオブジェクトを指示する第１操作を受け付ける処理と、
指示されたオブジェクト内の位置に基づいて特定される表示倍率に従って、前記オブジェクトに応じた遷移先画面を表示する処理と
をプロセッサに実行させるための情報表示プログラム。
【発明の詳細な説明】
【技術分野】
【０００１】
本技術は、遷移先画面の表示技術に関する。
【背景技術】
【０００２】
ある文献には、ウェブページを表示したときに表示中の倍率を記憶し、再度当該ウェブページが指定されると、当該倍率を用いて再表示する装置が開示されている。
【０００３】
この技術によれば、先に表示したときと同じ表示倍率によってウェブページを閲覧できる。従って、ウェブページを前回と同じように見ようとする場合、ユーザ操作が簡単になる。
【０００４】
しかし、文字や画像が混在するウェブページのように、多様な用途に応じることを目的とした画面の場合には、いつも同じ表示倍率で表示することが最適であるとは限らない。また、照明などの使用環境によっても、適した倍率が異なるかもしれない。
【０００５】
このような場合に、遷移先画面を表示させた後に、改めて変倍させる操作をすることは、ユーザにとって煩わしい。
【先行技術文献】
【特許文献】
【０００６】
【特許文献１】特開２００８−３３７４７号公報
【発明の概要】
【発明が解決しようとする課題】
【０００７】
本技術の目的は、一側面では、遷移先画面の表示倍率を指定するユーザ操作を簡単にすることを目的とする。
【課題を解決するための手段】
【０００８】
一態様の電子機器は、表示中の遷移元画面に含まれるオブジェクトを指示する第１操作を受け付ける受付部と、指示されたオブジェクト内の位置に基づいて特定される表示倍率に従って、オブジェクトに応じた遷移先画面を表示する表示部とを有する。
【発明の効果】
【０００９】
一側面においては、遷移先画面の表示倍率を指定するユーザ操作を簡単にできる。
【図面の簡単な説明】
【００１０】
【図１】図１は、遷移元画面の例を示す図である。
【図２】図２は、分割された領域の例を示す図である。
【図３】図３は、左領域を指示した場合の画面遷移の例を示す図である。
【図４】図４は、中央領域を指示した場合の画面遷移の例を示す図である。
【図５】図５は、右領域を指示した場合の画面遷移の例を示す図である。
【図６】図６は、携帯端末装置のモジュール構成の例を示す図である。
【図７】図７は、表示倍率テーブルの例を示す図である。
【図８】図８は、リンクテーブルの例を示す図である。
【図９】図９は、表示制御処理フローの例を示す図である。
【図１０】図１０は、表示制御処理フローの例を示す図である。
【図１１】図１１は、変倍の操作による画面遷移の例を示す図である。
【図１２】図１２は、表示制御処理フローの例を示す図である。
【図１３】図１３は、変倍後における表示倍率テーブルの例を示す図である。
【図１４】図１４は、携帯端末装置のハードウエア構成の例を示す図である。
【発明を実施するための形態】
【００１１】
本実施の形態では、遷移元画面における操作に応じて表示倍率を変更して、遷移先画面を表示させる。
【００１２】
まず、遷移元画面について説明する。図１に、遷移元画面の例を示す。この例で、遷移元画面は、タッチパネルを備えた携帯端末装置１０１のブラウザによって表示されるウェブページである。図に示すように、「日本」をキーワードとして検索した結果が示されている。４つのサイトが、検索結果に含まれる。
【００１３】
「ｈｔｔｐ：／／ｗｗｗ．ａａａ．ｃｏｍ／ａａａ」のＵＲＬ（Uniform Resource Locator）アドレスを示すオブジェクト１０３は、１番目に載せられたサイト「日本の言葉」へリンクしている。そのため、ＵＲＬ「ｈｔｔｐ：／／ｗｗｗ．ａａａ．ｃｏｍ／ａａａ」を示すオブジェクト１０３の表示領域内をユーザにタッチされると、ブラウザは、ＵＲＬ「ｈｔｔｐ：／／ｗｗｗ．ａａａ．ｃｏｍ／ａａａ」にアクセスし、サイト「日本の言葉」のウェブページを表示する。オブジェクト１０３の表示領域は、図示するように矩形である。当該矩形の左上の座標は、（Ｘｓ：Ｙ１ｓ）であり、当該矩形の右下の座標は、（Ｘｅ：Ｙ１ｅ）である。
【００１４】
同様に「ｈｔｔｐ：／／ｗｗｗ．ｂｂｂ．ｃｏｍ／ｂｂｂ」のＵＲＬを示すオブジェクト１０５は、２番目に載せられたサイト「日本の人々」へリンクしている。そのため、ＵＲＬ「ｈｔｔｐ：／／ｗｗｗ．ｂｂｂ．ｃｏｍ／ｂｂｂ」を示すオブジェクト１０５の表示領域内をユーザにタッチされると、ブラウザは、ＵＲＬ「ｈｔｔｐ：／／ｗｗｗ．ｂｂｂ．ｃｏｍ／ｂｂｂ」にアクセスし、サイト「日本の人々」のウェブページを表示する。オブジェクト１０５の表示領域は、図示するように矩形である。当該矩形の左上の座標は、（Ｘｓ：Ｙ２ｓ）であり、当該矩形の右下の座標は、（Ｘｅ：Ｙ２ｅ）である。
【００１５】
同様に「ｈｔｔｐ：／／ｗｗｗ．ｃｃｃ．ｃｏｍ／ｃｃｃ」のＵＲＬを示すオブジェクト１０７は、３番目に載せられたサイト「日本の地図」へリンクしている。そのため、ＵＲＬ「ｈｔｔｐ：／／ｗｗｗ．ｃｃｃ．ｃｏｍ／ｃｃｃ」を示すオブジェクト１０７の表示領域内をユーザにタッチされると、ブラウザは、ＵＲＬ「ｈｔｔｐ：／／ｗｗｗ．ｃｃｃ．ｃｏｍ／ｃｃｃ」にアクセスし、サイト「日本の地図」のウェブページを表示する。オブジェクト１０７の表示領域は、図示するように矩形である。当該矩形の左上の座標は、（Ｘｓ：Ｙ３ｓ）であり、当該矩形の右下の座標は、（Ｘｅ：Ｙ３ｅ）である。
【００１６】
同様に「ｈｔｔｐ：／／ｗｗｗ．ｄｄｄ．ｃｏｍ／ｄｄｄ」のＵＲＬを示すオブジェクト１０９は、４番目に載せられたサイト「日本の自然」へリンクしている。そのため、ＵＲＬ「ｈｔｔｐ：／／ｗｗｗ．ｄｄｄ．ｃｏｍ／ｄｄｄ」を示すオブジェクト１０９の表示領域内をユーザにタッチされると、ブラウザは、ＵＲＬ「ｈｔｔｐ：／／ｗｗｗ．ｄｄｄ．ｃｏｍ／ｄｄｄ」にアクセスし、サイト「日本の自然」のウェブページを表示する。オブジェクト１０９の表示領域は、図示するように矩形である。当該矩形の左上の座標は、（Ｘｓ：Ｙ４ｓ）であり、当該矩形の右下の座標は、（Ｘｅ：Ｙ４ｅ）である。
【００１７】
尚、この例では、タッチ操作によるポインティングの例を示すが、マウス操作やトラックボール操作などの他の操作によってポインティングを行うようにしてもよい。
【００１８】
この例では、矩形のオブジェクトを用いるが、正円、楕円又は他の多角形など他の形状のオブジェクトを用いるようにしてもよい。
【００１９】
この例では、ＵＲＬを示すオブジェクトがリンク元であるが、タイトルを示すオブジェクトがリンク元であってもよい。
【００２０】
また、これらのオブジェクトは、複数の領域に分割されている。図２に、分割された領域の例を示す。オブジェクトの左端のＸ座標（Ｘｓ）から右端のＸ座標（Ｘｅ）までの横幅が、３つに分けられる。図示するように、オブジェクトは、Ｘ座標（Ｘｓ）からＸ座標（Ｘａ）までの領域と、Ｘ座標（Ｘａ）からＸ座標（Ｘｂ）までの領域と、Ｘ座標（Ｘｂ）からＸ座標（Ｘｅ）までの領域とに分割される。
【００２１】
例えば、オブジェクト１０３は、左領域の矩形と中央領域の矩形と右領域の矩形とに分けられる。オブジェクト１０３の左領域の矩形における左上の端点は、（Ｘｓ：Ｙ１ｓ）であり、同じく右下の端点は、（Ｘａ：Ｙ１ｅ）である。オブジェクト１０３の中央領域の矩形における左上の端点は、（Ｘａ：Ｙ１ｓ）であり、同じく右下の端点は、（Ｘｂ：Ｙ１ｅ）である。オブジェクト１０３の右領域の矩形における左上の端点は、（Ｘｂ：Ｙ１ｓ）であり、同じく右下の端点は、（Ｘｅ：Ｙ１ｅ）である。
【００２２】
同様に、オブジェクト１０５は、左領域の矩形と中央領域の矩形と右領域の矩形に分けられる。オブジェクト１０５の左領域の矩形における左上の端点は、（Ｘｓ：Ｙ２ｓ）であり、同じく右下の端点は、（Ｘａ：Ｙ２ｅ）である。オブジェクト１０５の中央領域の矩形における左上の端点は、（Ｘａ：Ｙ２ｓ）であり、同じく右下の端点は、（Ｘｂ：Ｙ２ｅ）である。オブジェクト１０５の左領域の矩形における左上の端点は、（Ｘｂ：Ｙ２ｓ）であり、同じく右下の端点は、（Ｘｅ：Ｙ２ｅ）である。
【００２３】
同様に、オブジェクト１０７は、左領域の矩形と中央領域の矩形と右領域の矩形に分けられる。オブジェクト１０７の左領域の矩形における左上の端点は、（Ｘｓ：Ｙ３ｓ）であり、同じく右下の端点は、（Ｘａ：Ｙ３ｅ）である。オブジェクト１０７の中央領域の矩形における左上の端点は、（Ｘａ：Ｙ３ｓ）であり、同じく右下の端点は、（Ｘｂ：Ｙ３ｅ）である。オブジェクト１０７の左領域の矩形における左上の端点は、（Ｘｂ：Ｙ３ｓ）であり、同じく右下の端点は、（Ｘｅ：Ｙ３ｅ）である。
【００２４】
同様に、オブジェクト１０９は、左領域の矩形と中央領域の矩形と右領域の矩形に分けられる。オブジェクト１０９の左領域の矩形における左上の端点は、（Ｘｓ：Ｙ４ｓ）であり、同じく右下の端点は、（Ｘａ：Ｙ４ｅ）である。オブジェクト１０９の中央領域の矩形における左上の端点は、（Ｘａ：Ｙ４ｓ）であり、同じく右下の端点は、（Ｘｂ：Ｙ４ｅ）である。オブジェクト１０９の左領域の矩形における左上の端点は、（Ｘｂ：Ｙ４ｓ）であり、同じく右下の端点は、（Ｘｅ：Ｙ４ｅ）である。
【００２５】
尚、この例では、オブジェクトが横並びの複数の領域に分割されるが、縦並びに分割されるようにしてもよい。また、オブジェクトがマトリクス状など他の形態で分割されるようにしてもよい。また、分割された領域は、正円、楕円又は他の多角形などの矩形以外の形状であってもよい。
【００２６】
続いて、画面遷移について説明する。図３に、左領域を指示した場合の画面遷移の例を示す。図３の左側は、遷移元画面３０１におけるオブジェクト１０７の左領域がユーザによりタッチされている様子を示している。オブジェクト１０７の左領域がユーザによりタッチされると、遷移先画面３０３が表示される。
【００２７】
右側の遷移先画面３０３は、ＵＲＬ「ｈｔｔｐ：／／ｗｗｗ．ｃｃｃ．ｃｏｍ／ｃｃｃ」で特定されるリンク先のサイト「日本の地図」のウェブページを表示している。この例で、ブラウザは、左領域をタッチされた場合に、表示倍率１００％で遷移先画面３０３を表示する。従って、サイト「日本の地図」のウェブページは、表示倍率１００％で表示される。
【００２８】
サイト「日本の地図」のウェブページには、日本地図の画像と、「日本の地図」の文字列が含まれている。表示倍率１００％で表示した状態では、ユーザは日本地図の全体を把握しやすい。
【００２９】
図４に、中央領域を指示した場合の画面遷移の例を示す。図４は、遷移元画面４０１におけるオブジェクト１０７の中央領域がユーザによりタッチされている様子を示している。オブジェクト１０７の中央領域がユーザによりタッチされると、遷移先画面４０３が表示される。
【００３０】
遷移先画面４０３は、図３と同様にＵＲＬ「ｈｔｔｐ：／／ｗｗｗ．ｃｃｃ．ｃｏｍ／ｃｃｃ」で特定されるリンク先のサイト「日本の地図」のウェブページを表示している。この例で、ブラウザは、中央領域をタッチされた場合に、表示倍率２００％で遷移先画面４０３を表示する。従って、サイト「日本の地図」のウェブページは、表示倍率２００％で表示される。
【００３１】
表示倍率２００％で表示した状態では、ユーザは日本地図を把握できないが、タイトルである「日本の地図」の文字列を把握しやすい。
【００３２】
図５に、右領域を指示した場合の画面遷移の例を示す。図５は、遷移元画面５０１におけるオブジェクト１０７の右領域がユーザによりタッチされている様子を示している。オブジェクト１０７の右領域がユーザによりタッチされると、遷移先画面５０３が表示される。
【００３３】
遷移先画面５０３は、図３及び図４と同様にＵＲＬ「ｈｔｔｐ：／／ｗｗｗ．ｃｃｃ．ｃｏｍ／ｃｃｃ」で特定されるリンク先のサイト「日本の地図」のウェブページを表示している。この例で、ブラウザは、右領域をタッチされた場合に、表示倍率３００％で遷移先画面５０３を表示する。従って、サイト「日本の地図」のウェブページは、表示倍率３００％で表示される。
【００３４】
表示倍率３００％で表示した状態では、表示倍率２００％で表示した状態に比べて、「日本の地図」の文字列が大きく表示されている。従って、ユーザは更に各文字を把握しやすい。
【００３５】
このように、本実施の形態では、遷移元画面におけるタッチ位置に基づく表示倍率に従って遷移先画面を表示するので、ユーザは少ない操作で遷移先画面を表示する倍率を指定できる。以上で、画面遷移についての説明を終える。
【００３６】
次に、携帯端末装置１０１のモジュール構成について説明する。図６に、携帯端末装置１０１のモジュール構成の例を示す。携帯端末装置１０１は、ブラウザ６０１を有している。
【００３７】
ブラウザ６０１は、記憶部６０３、デフォルト表示倍率６０５、表示倍率テーブル６０７、リンクテーブル６０９、設定部６１１、取得部６１３、生成部６１５、表示部６１７、受付部６１９、判定部６２１及び更新部６２３を有する。
【００３８】
記憶部６０３は、デフォルト表示倍率６０５、表示倍率テーブル６０７及びリンクテーブル６０９を記憶する。デフォルト表示倍率６０５は、初期あるいは標準の表示倍率である。
【００３９】
表示倍率テーブル６０７は、分割された領域に対する表示倍率を設定するためのテーブルである。図７に、表示倍率テーブル６０７の例を示す。この例で、左領域に対して表示倍率「１００％」が設定されている。中央領域に対して表示倍率「２００％」が設定されている。更に、右領域に対して表示倍率「３００％」が設定されている。
【００４０】
図６の説明に戻って、リンクテーブル６０９は、遷移元画面に含まれるオブジェクトにリンクする遷移先画面の格納場所を設定するためのテーブルである。図８に、リンクテーブル６０９の例を示す。リンクテーブル６０９は、オブジェクト毎にレコードを有している。レコードは、リンクＩＤのフィールドを有している。リンクＩＤは、当該レコードを識別するためのＩＤである。レコードは、オブジェクトの領域のフィールドを有している。この例で、オブジェクトの領域のフィールドには、リンク元となるオブジェクトの領域を特定する情報が設定される。この例では、左上の端点の座標と右下の端点の座標によって、矩形の領域が特定される。また、レコードは、リンク先のＵＲＬのフィールドを有している。この例で、リンク先のＵＲＬのフィールドには、例えばリンク先となるサイトのＵＲＬが設定される。
【００４１】
リンクＩＤ「１」で識別される第１レコードは、リンク元となるオブジェクトの領域が、左上端点の座標（Ｘｓ：Ｙ１ｓ）と  右下端点の座標（Ｘｅ：Ｙ１ｅ）とによって特定され、リンク先が、ＵＲＬ「ｈｔｔｐ：／／ｗｗｗ．ａａａ．ｃｏｍ／ａａａ」で特定されることを示している。
【００４２】
同様に、リンクＩＤ「２」で識別される第２レコードは、リンク元となるオブジェクトの領域が、左上端点の座標（Ｘｓ：Ｙ２ｓ）と  右下端点の座標（Ｘｅ：Ｙ２ｅ）とによって特定され、リンク先が、ＵＲＬ「ｈｔｔｐ：／／ｗｗｗ．ｂｂｂ．ｃｏｍ／ｂｂｂ」で特定されることを示している。
【００４３】
同様に、リンクＩＤ「３」で識別される第３レコードは、リンク元となるオブジェクトの領域が、左上端点の座標（Ｘｓ：Ｙ３ｓ）と  右下端点の座標（Ｘｅ：Ｙ３ｅ）とによって特定され、リンク先が、ＵＲＬ「ｈｔｔｐ：／／ｗｗｗ．ｃｃｃ．ｃｏｍ／ｃｃｃ」で特定されることを示している。
【００４４】
同様に、リンクＩＤ「４」で識別される第４レコードは、リンク元となるオブジェクトの領域が、左上端点の座標（Ｘｓ：Ｙ４ｓ）と  右下端点の座標（Ｘｅ：Ｙ４ｅ）とによって特定され、リンク先が、ＵＲＬ「ｈｔｔｐ：／／ｗｗｗ．ｄｄｄ．ｃｏｍ／ｄｄｄ」で特定されることを示している。
【００４５】
図６の説明に戻って、設定部６１１は、記憶部６０３に記憶されるデフォルト表示倍率６０５と表示倍率テーブル６０７とを設定する。設定部６１１による設定処理は、例えばメンテナンス処理に含まれるので、後述する表示制御処理フローには含まれない。
【００４６】
取得部６１３は、リンク先のウェブページのデータ（コンテンツのデータの例）を取得する。生成部６１５は、リンクテーブルを生成する。表示部６１７は、タッチ位置に基づいて、リンク先のウェブページを変倍して表示する。受付部６１９は、イベントを受け付ける。判定部６２１は、イベントによる指示の種別を判定する。更新部６２３は、表示倍率を改める。
【００４７】
記憶部６０３、設定部６１１、取得部６１３、生成部６１５、表示部６１７、受付部６１９、判定部６２１及び更新部６２３は、例えば後述する図１４に示すハードウエア資源によって実現される。また、設定部６１１、取得部６１３、生成部６１５、表示部６１７、受付部６１９、判定部６２１及び更新部６２３は、当該モジュールの処理の一部又は全部を、例えばＲＡＭ１４０７（図２０）にロードされたプログラムをプロセッサ１４０１（図２０）で順次実行することにより実現するようにしてもよい。以上で、携帯端末装置１０１のモジュール構成ついての説明を終える。
【００４８】
次に、ブラウザ６０１における処理について説明する。図９に、表示制御処理フローの例を示す。取得部６１３は、リンク元のウェブページのデータ（コンテンツのデータの例）を取得する（Ｓ９０１）。前述の例の場合、取得部６１３は、検索サイトから、検索結果を示すウェブページのＨＴＭＬ（HyperText Markup Language）ファイルを取得する。
【００４９】
取得部６１３は、リンクテーブル６０９を生成する（Ｓ９０３）。このとき取得部６１３は、まずＨＴＭＬファイルを解析して、リンクする記述を含むオブジェクトを抽出する。そして、取得部６１３は、そのオブジェクトの領域とリンク先のＵＲＬとを対応付けるレコードを生成する。
【００５０】
表示部６１７は、記憶部６０３からデフォルト表示倍率６０５を読み（Ｓ９０５）、デフォルト表示倍率６０５に従って、リンク元のウェブページの画像（コンテンツの画像）を表示する（Ｓ９０７）。
【００５１】
この状態で、受付部６１９は、イベントの発生を待つ（Ｓ９０９）。この例では、タッチイベントの発生を待つ。
【００５２】
イベントが発生すると、判定部６２１は、発生したイベントが終了指示に相当するか否かを判定する（Ｓ９１１）。発生したイベントが終了指示に相当すると判定した場合には、処理を終了する。
【００５３】
一方、発生したイベントが終了指示に相当しないと判定した場合には、判定部６２１は、更に、オブジェクトの領域内のタッチであるか否かを判定する。（Ｓ９１３）。具体的には、判定部６２１は、タッチされた位置が、リンクテーブル６０９のレコード群に含まれるオブジェクトの領域のうちのいずれかに含まれる否かを判定する。タッチされた位置が、いずれかのオブジェクトの領域に含まれる場合には、オブジェクトの領域内のタッチであると判定する。タッチされた位置が、いずれのオブジェクトの領域にも含まれない場合には、オブジェクトの領域内のタッチではないと判定する。
【００５４】
オブジェクトの領域内のタッチではないと判定した場合には、Ｓ９０９に戻り、上述の処理を繰り返す。
【００５５】
一方、オブジェクトの領域内のタッチであると判定した場合には、端子Ａを介して、図１０に示す処理フローへ移る。
【００５６】
続いて、図１０に示した処理フローについて説明する。取得部６１３は、Ｓ９１３でタッチ位置を含むと判定したオブジェクトの領域に対応するリンク先のＵＲＬを特定する（Ｓ１００１）。
【００５７】
取得部６１３は、リンク先のＵＲＬにアクセスし（Ｓ１００３）、リンク先のウェブページのデータ（コンテンツのデータの例）を取得する（Ｓ１００５）。上述の例では、取得部６１３は、ＵＲＬ「ｈｔｔｐ：／／ｗｗｗ．ｃｃｃ．ｃｏｍ／ｃｃｃ」にアクセスし、サイト「日本の地図」からウェブページのＨＴＭＬファイルを取得する。
【００５８】
表示部６１７は、タッチされた領域を特定する（Ｓ１００７）。この例では、取得部６１３は、タッチ位置が左領域、中央領域又は右領域のうちのいずれの領域に含まれるかを判定し、タッチ位置を含む領域を特定する。
【００５９】
表示部６１７は、表示倍率テーブル６０７から、領域に対応する表示倍率を特定する（Ｓ１００９）。
【００６０】
表示部６１７は、特定した表示倍率に従ってリンク先のウェブページの画像（コンテンツの画像）を表示する（Ｓ１０１１）。
【００６１】
本実施の形態では、表示中の遷移先画面を変倍させる操作を受け付けた場合に、遷移先画面を変倍するとともに、表示倍率テーブル６０７の表示倍率に改める。
【００６２】
図１１に、変倍の操作による画面遷移の例を示す。遷移先画面１１０１は、図３に示した遷移先画面３０３と同様に、遷移元画面３０１のオブジェクト１０７の左領域へのタッチによって表示される。
【００６３】
ブラウザによって、縮小指示ボタン１１０３と拡大指示ボタン１１０５とが表示されている。縮小指示ボタン１１０３は、表示中の画像を縮小させる指示を行うためのボタンである。拡大指示ボタン１１０５は、表示中の画像を拡大させる指示を行うためのボタンである。
【００６４】
図示するように、例えばユーザが拡大指示ボタン１１０５をタッチすると、拡大された遷移先画面１１０７が表示される。この例では、表示倍率が１００％から１５０％に変更される。このとき、表示倍率テーブル６０７で記憶する左領域に対応する表示倍率も１００％から１５０％に更新される。このようにすると、次回遷移元画面３０１に含まれるいずれかのオブジェクトの左領域にタッチした場合に、１５０％の表示倍率でリンク先のウェブページが表示されるようになる。
【００６５】
図１０に示したＳ１０１１の処理から、端子Ｂを介して、図１２に示す処理フローへ移る。リンク先のウェブページの画像（コンテンツの画像）を表示した状態で、受付部６１９は、イベントの発生を待つ（Ｓ１２０１）。この例では、受付部６１９は、タッチイベントの発生を待つ。
【００６６】
イベントが発生すると、判定部６２１は、発生したイベントが拡大指示又は縮小指示に相当するか否かを判定する（Ｓ１２０３）。
【００６７】
発生したイベントが拡大指示又は縮小指示に相当すると判定した場合には、表示部６１７は、拡大指示又は縮小指示に従って表示倍率を特定する（Ｓ１２０５）。例えば、表示部６１７は、予め段階的に設定してある表示倍率を選択する。
【００６８】
表示部６１７は、表示倍率に従ってリンク先のウェブページの画像（コンテンツの画像）を再表示する（Ｓ１２０７）。
【００６９】
更新部６２３は、更に、表示倍率テーブル６０７を更新する（Ｓ１２０９）。具体的には、更新部６２３は、図１０に示したＳ１００９の処理で特定した領域に対応する表示倍率を、Ｓ１２０５で特定した表示倍率に改める。
【００７０】
図１３に、変倍後における表示倍率テーブル６０７の例を示す。左領域は、１５０％に更新されている。
【００７１】
一方、Ｓ１２０３で、発生したイベントが拡大指示又は縮小指示に相当しないと判定した場合には、判定部６２１は、発生したイベントが復帰指示に相当するか否かを判定する（Ｓ１２１１）。発生したイベントが復帰指示に相当すると判定した場合には、端子Ｃを介して、図９のＳ９０５の処理へ戻り、上述の処理を繰り返す。その結果、リンク元のウェブページの画像を表示する状態に戻る。
【００７２】
発生したイベントが復帰指示に相当しないと判定した場合には、判定部６２１は、発生したイベントが終了指示に相当するか否かを判定する（Ｓ１２１３）。発生したイベントが終了指示に相当すると判定した場合には、処理を終える。
【００７３】
発生したイベントが終了指示に相当しないと判定した場合には、Ｓ１２０１の処理へ戻り、上述の処理を繰り返す。このとき、リンク先のウェブページの画像を表示する状態が継続する。
【００７４】
次に、携帯端末装置１０１のハードウエア構成について説明する。図１４に、携帯端末装置１０１のハードウエア構成例を示す。携帯端末装置１０１は、プロセッサ１４０１、記憶部１４０３、アンテナ１４１１、無線制御部１４１３、オーディオ制御部１４１５、スピーカ１４１７、マイク１４１９、ディスプレイ１４２１、タッチパッド１４２３及びキー群１４２５を有している。
【００７５】
プロセッサ１４０１は、モデムＣＰＵ（Central Processing Unit）とアプリケーションＣＰＵからなることもある。記憶部１４０３は、例えば、ＲＯＭ（Read Only Memory）１４０５とＲＡＭ（Random Access Memory）１４０７とフラッシュメモリ１４０９を有している。ＲＯＭ１４０５は、例えば、アプリケーションなどのプログラムや予め設定されているデータを格納している。ＲＡＭ１４０７は、例えば、アプリケーションなどのプログラムを展開する領域を含んでいる。ＲＡＭ１４０７は、一時的なデータを格納する領域も含んでいる。フラッシュメモリ１４０９は、例えば、予め設定されているデータや保持すべきデータを格納する。
【００７６】
タッチパッド１４２３は、例えば、ディスプレイ１４２１の表示画面上に配置されたパネル状のセンサであり、タッチ操作による指示を受け付ける。ディスプレイ１４２１は、例えば、アプリケーションが表示させる各種画面を表示する。具体的には、ディスプレイ１４２１とタッチパッド１４２３とを一体としたタッチパネルとして用いられる。タッチパッド１４２３へのタッチ操作によって、タッチイベントが発生する。タッチパッド１４２３は、ポインティングデバイス（位置入力装置）の例である。キー群１４２５の各ハードキーは、筐体の一部に設けられている。  
【００７７】
タッチパッド１４２３は、抵抗膜方式、静電容量方式、光学式あるいは電磁誘導方式であってもよい。同様のポインティング性能があればタッチパネルでなくても良い。マウスやトラックボールなど、任意のポインティングデバイスを用いてもよい。
【００７８】
アンテナ１４１１は、例えば、セルラー方式、無線ＬＡＮ（Local Area Network）、近距離通信方式などの無線データを受信する。無線制御部１４１３は、無線通信の制御を行う。無線通信の制御により、電話の音声通信やメールのデータ通信が行われる。
【００７９】
オーディオ制御部１４１５は、音データに関するアナログ／デジタル変換とデジタル／アナログ変換を行う。スピーカ１４１７は、アナログデータを音として出力する。マイク１４１９は、音をアナログデータに変換する。
【００８０】
携帯端末装置１０１は、電子機器の例である。電子機器は、タブレット端末、ＰＣ（Personal computer）、電子辞書、電子掲示板、デジタルＴＶなど他の装置であってもよい。
【００８１】
本実施の形態によれば、遷移先画面の表示倍率を指定するユーザ操作を簡単にできる。例えば、ユーザの観点や使用環境に応じて表示倍率を決めようとする場合に、便利である。
【００８２】
また、オブジェクト内を分割する複数の領域のうち、指示された位置が含まれる領域に対応付けられている表示倍率を特定するので、複数の表示倍率の中から、所望の表示倍率を選択する操作が簡単になる。
【００８３】
また、表示中の遷移先画面を変倍させる操作に従って表示倍率を改めるので、指示する位置と表示倍率との関係を自動的に設定することができる。
【００８４】
以上本技術の一実施の形態を説明したが、本技術はこれに限定されるものではない。例えば、上述の機能ブロック構成は実際のプログラムモジュール構成に一致しない場合もある。
【００８５】
また、上で説明した各記憶領域の構成は一例であって、上記のような構成でなければならないわけではない。さらに、処理フローにおいても、処理結果が変わらなければ処理の順番を入れ替えることも可能である。さらに、並列に実行させるようにしても良い。
【００８６】
以上述べた実施の形態をまとめると、以下のようになる。
【００８７】
一態様の電子機器は、表示中の遷移元画面に含まれるオブジェクトを指示する第１操作を受け付ける受付部と、指示されたオブジェクト内の位置に基づいて特定される表示倍率に従って、オブジェクトに応じた遷移先画面を表示する表示部とを有する。
【００８８】
このようにすれば、遷移先画面の表示倍率を指定するユーザ操作を簡単にできる。例えば、ユーザの観点や使用環境に応じて表示倍率を決めようとする場合に、便利である。
【００８９】
上記表示部は、オブジェクト内を分割する複数の領域のうち、上記位置が含まれる領域に対応付けられている表示倍率を特定するようにしてもよい。
【００９０】
このようにすれば、複数の表示倍率の中から、所望の表示倍率を選択する操作が簡単になる。
【００９１】
また、上記受付部は、表示中の遷移先画面を変倍させる第２操作を受け付けるようにしてもよい。更に、表示倍率を、第２操作に従って変更された表示倍率に改める更新部を有するようにしてもよい。
【００９２】
このようにすれば、指示する位置と表示倍率との関係を自動的に設定することができる。
【００９３】
なお、上記処理をプロセッサに行わせるためのプログラムを作成することができ、当該プログラムは、例えばフレキシブルディスク、ＣＤ−ＲＯＭ、光磁気ディスク、半導体メモリ、ハードディスク等のコンピュータ読み取り可能な記憶媒体又は記憶装置に格納されるようにしてもよい。尚、中間的な処理結果は、一般的にメインメモリ等の記憶装置に一時保管される。
【００９４】
以上の実施例を含む実施形態に関し、さらに以下の付記を開示する。
【００９５】
（付記１）
表示中の遷移元画面に含まれるオブジェクトを指示する第１操作を受け付ける受付部と、
指示されたオブジェクト内の位置に基づいて特定される表示倍率に従って、前記オブジェクトに応じた遷移先画面を表示する表示部と
を有する電子機器。
【００９６】
（付記２）
前記表示部は、前記オブジェクト内を分割する複数の領域のうち、前記位置が含まれる領域に対応付けられている表示倍率を特定する
を有する付記１記載の電子機器。
【００９７】
（付記３）
前記受付部は、表示中の前記遷移先画面を変倍させる第２操作を受け付け、
更に、
前記表示倍率を、前記第２操作に従って変更された表示倍率に改める更新部
を有する付記１又は２記載の電子機器。
【００９８】
（付記４）
表示中の遷移元画面に含まれるオブジェクトを指示する第１操作を受け付ける処理と、
指示されたオブジェクト内の位置に基づいて特定される表示倍率に従って、前記オブジェクトに応じた遷移先画面を表示する処理と
をプロセッサに実行させるための情報表示プログラム。
【符号の説明】
【００９９】
１０１  携帯端末装置    １０３  オブジェクト
１０５  オブジェクト    １０７  オブジェクト
１０９  オブジェクト    ３０１  遷移元画面
３０３  遷移先画面    ４０１  遷移元画面
４０３  遷移先画面    ５０１  遷移元画面
５０３  遷移先画面    ６０１  ブラウザ
６０３  記憶部    ６０５  デフォルト表示倍率
６０７  表示倍率テーブル    ６０９  リンクテーブル
６１１  設定部    ６１３  取得部
６１５  生成部    ６１７  表示部
６１９  受付部    ６２１  判定部
６２３  更新部    １１０１  変倍前の遷移先画面
１１０３  縮小指示ボタン    １１０５  拡大指示ボタン
１１０７  変倍後の遷移先画面
【図１】
2014211700.tif 000003
【図２】
2014211700.tif 000004
【図３】
2014211700.tif 000005
【図４】
2014211700.tif 000006
【図５】
2014211700.tif 000007
【図６】
2014211700.tif 000008
【図７】
2014211700.tif 000009
【図８】
2014211700.tif 000010
【図９】
2014211700.tif 000011
【図１０】
2014211700.tif 000012
【図１１】
2014211700.tif 000013
【図１２】
2014211700.tif 000014
【図１３】
2014211700.tif 000015
【図１４】
2014211700.tif 000016